(57)【要約】【課題】床面から壁に沿って曲がり、且つ、又は柱に沿って曲げることができる棒状建材を提供することにあり、床材の伸縮による突き上げや間隔開きを防ぎ、水などがしみ込みにくい棒状建材の使用方法を提供すること。【解決手段】任意の角度に折り曲げて壁の下部に床材の端部と接するように設けることが可能な棒状建材であって、全体が中空弾性体であり、化粧シートの外層と内部の弾性体からなり、２０℃雰囲気での弾性率が１０−４Ｎ／ｍ２以上１０−２Ｎ／ｍ２未満であることを特徴とする。【選択図】  図１
2006283299.tif 000002
【特許請求の範囲】
【請求項１】
任意の角度に折り曲げて壁の下部に床材の端部と接するように設けることが可能な棒状建材であって、全体が中空弾性体であり、化粧シートの外層と内部の弾性体からなり、２０℃雰囲気での弾性率が１０−４Ｎ／ｍ２以上１０−２Ｎ／ｍ２未満であることを特徴とする棒状建材。
【請求項２】
全体が中空弾性体であり、化粧シートの外層と内部の弾性体からなり、２０℃雰囲気での弾性率が１０−４Ｎ／ｍ２以上１０−２Ｎ／ｍ２未満である棒状建材を、床材の壁面側端部を覆うように載置し、前記床材の壁面側端部に前記棒状建材の下部を押し込むように折り曲げることを特徴とする棒状建材の使用方法。
【発明の詳細な説明】
【技術分野】
【０００１】
本発明は、熱により伸縮しやすい熱可塑性樹脂基材からなる床材、または湿度による伸縮を起こしやすい木質系基材からなる床材を用いた床の端部に設けられる幅木の替わりとなる棒状建材に関し、特に床面から壁面に沿って曲がり、且つ端部に沿って曲がって設置可能な棒状建材およびその使用方法に関する。
【背景技術】
【０００２】
従来より前記床材は、住宅や店舗、又は洗面所、トイレ、浴室に接する部屋等、病院、老人介護施設等に使用されており、耐水性、耐汚染性、掃除のし易さなどが求められている。しかしに伸縮しやすい基材は壁面との間に間隔が開いたり突き上げが発生したりなどの問題点があった。
【０００３】
耐水性の良い床にするためには、床材の裏面に切り込み（溝）を入れて壁に立ち上げた幅木を用いる方法は知られていたが、床材と幅木の間は、溶着していた（特許文献１）。また、遮水処理をするため床材を壁に立ち上げる方法も知られていたが床材と壁に立ち上る間を溶着していた（特許文献２）。また、床材を壁面に立ち上げると材料の上部の切り口が露出され意匠的に問題があり（特許文献１）、埃も積もりやすかった（特許文献３）。さらに、床材の熱膨張による突き上げを防ぐ構造として、下部に弾性を有する不陸調節片を有する幅木の構造も知られていたが床材端面と壁面の接合が弱く水などがしみ込みやすかった（特許文献４）。また、中空部を有するソフト幅木も知られていたが床面から壁に沿って曲がり、且つ、又は柱に沿って曲げることが困難であった（特許文献５）。
【特許文献１】特開２０００−１３６６２４号公報
【特許文献２】実開平０５−２１７７９号公報
【特許文献３】実開平７−２５１３９号公報
【特許文献４】特開平７−１０９８２２号公報
【特許文献５】特開２００４−３６０３２０号公報
【発明の開示】
【発明が解決しようとする課題】
【０００４】
本発明は前記問題点を解決するためになされたものであり、その課題とするところは、床面から壁に沿って曲がり、且つ、又は柱に沿って曲げることができる棒状建材を提供することにあり、床材の伸縮による突き上げや間隔開きを防ぎ、水などがしみ込みにくい棒状建材の使用方法を提供することにある。
【課題を解決するための手段】
【０００５】
本発明は前記課題を解決するためになされたものであり、その請求項１記載の発明は、任意の角度に折り曲げて壁の下部に床材の端部と接するように設けることが可能な棒状建材であって、全体が中空弾性体であり、化粧シートの外層と内部の弾性体からなり、２０℃雰囲気での弾性率が１０−４Ｎ／ｍ２以上１０−２Ｎ／ｍ２未満であることを特徴とする棒状建材である。
【０００６】
また、請求項２記載の発明は、全体が中空弾性体であり、化粧シートの外層と内部の弾性体からなり、２０℃雰囲気での弾性率が１０−４Ｎ／ｍ２以上１０−２Ｎ／ｍ２未満である棒状建材を、床材の壁面側端部を覆うように載置し、前記床材の壁面側端部に前記棒状建材の下部を押し込むように折り曲げることを特徴とする棒状建材の使用方法である。
【発明の効果】
【０００７】
請求項１記載の発明により、所定の弾性率を有する中空弾性体からなることにより、床面から壁面、柱などの接合部分に折り曲げて追従することが可能な棒状建材を提供することが可能となる。
【０００８】
またこの請求項２記載の発明により、床材の端部が棒状建材の下部に押し込まれているため、低温時や乾燥時に床材が縮んでも押し込まれた部分が戻ることで隙間が開かないため耐水性が維持できるという効果があり、さらに弾性を有するので高温時は高湿時に床材が伸びても棒状建材が示される弾性を有しているので伸びる部分が吸収され、床材の突き上げを起こしにくいという効果がある。また、ぶつかったりしても棒状建材が弾性体のため傷が付きにくい。
【発明を実施するための最良の形態】
【０００９】
以下に本発明の棒状建材を図面に基づき詳細に説明する。図１に本発明の棒状建材の一実施例の外層に係る化粧シートの断面の構造を示す。内部から着色熱可塑性樹脂層１、絵柄層２、アンカー剤層３、透明熱可塑性樹脂層４、リコート層５、表面保護層６からなる。本発明における化粧シートはその意匠性の付与と表面耐性、加工適性を有するものであれば特に限定するものではなく、適用可能である。
【００１０】
図２に本発明の棒状建材の一実施例の外観の断面を示す。
化粧シート３１の外層からなる中空成形の内部に弾性体３２を充填してなる。
【００１１】
弾性体３２に用いる材質としては、２０℃雰囲気での弾性率が１０−４Ｎ／ｍ２以上１０−２Ｎ／ｍ２未満となるものであれば特に限定しないが、中空弾性体であって、熱可塑性樹脂からなるゴム弾性樹脂が好適に使用可能である。具体的には、シス−１，４−ポリイソプレン構造を持つ天然ゴムを加硫したり、カーボンブラックを添加したゴム、スチレン−ブタジエンゴム、ブタジエンゴム、イソプレンゴム、ブチルゴム、クロロプレンゴム、エチレン−プロピレンゴム（共重合体）、アクリロノトリル−ブタジンエン（共重合体）、アクリルゴム、フッ素ゴム、シリコーンゴム、アイオノマー樹脂（ハイミラン  三井・デュポンポリケミカル（株）製）他硫化ゴムなどの単体やこれらの混合物が使用可能である。また、高伸長率の弾性を示すゲルやスポンジゴム、ウレタンフォームなどの１０−４Ｎ／ｍ２程度の多孔質であって見かけ上の高弾性を有するもの使用可能である。また、圧縮弾性率が８〜５００Ｎ／ｃｍ２程度のウレタンやシリコーンゲルが使用可能である。
【００１２】
また、弾性体３２の厚みとしては、２〜６ｍｍ程度が望ましい。棒状建材の厚みより薄いほうが見た目が良い。一般的な木粉含有熱可塑性樹脂基材の床材は、気温が５〜４０℃程度変動すると、寸法が０．２％程度変動する。床材の長さを１．８１８ｍ（１間＝６尺、１尺＝３０．３ｃｍ）とすると約３．６ｍｍの寸法変化があるが、壁の両端で吸収するためには１．８ｍｍ以上の厚みであれば、突き上げなどが起こりにくくなるので望ましい。
【００１３】
本発明の棒状建材を設置する方法としては、接着剤や両面テープで貼り付け可能であるが、特にこの方法に限定するものではない。
【００１４】
本発明における弾性率とは引張り弾性率（ＪＩＳ  Ｋ７１２７に準拠した）をさし、引張り試験機「ＲＴＭ−１００」（オリエンテック（株）製）の測定部に恒温になるボックスを取り付け、恒温槽（グラフテック（株）製：「ＬＴＢ−ＣＦ」）より所定の温度（本発明の場合は２０℃）の空気を循環させることなどにより測定可能である。
【実施例１】
【００１５】
厚み０．０７０ｍｍのポリプロピレン樹脂（ＲＩＶＥＳＴ  ＴＰＯ  リケンテクノス社製）に２液ウレタン樹脂系バインダー樹脂製のグラビアインキにて木目柄を印刷し、その上に透明ポリプロピレン樹脂を押出しラミネートし、さらにその上に乾燥後の塗布量が１．３ｇ／ｍ２となるように２液ウレタン樹脂を設け、さらにその上に紫外線硬化型塗料を１０ｇ／ｍ２塗布、硬化させ、化粧シートを得た。
【００１６】
出来た化粧シートを厚み０．２５ｍｍのを一液湿気硬化型ウレタン樹脂系ホットメルト接着剤にてラッピング法により中空成形形状とし、内部に、４００Ｎ／ｃｍ２のウレタンゲルを充填して封入して本発明の棒状建材を得た。
【００１７】
このようにして得た棒状建材を床材を施工したあとの壁面との境界に載置し、壁に沿って５０ｍｍ折り曲げて押し込み、床に沿って２０ｍｍ幅の両面テープにて貼りつけた。
【産業上の利用可能性】
【００１８】
本発明の棒状建材は、住宅や店舗、又は洗面所、トイレ、浴室に接する部屋等、病院、老人介護施設等常に清潔さが必要な建物、水を使ったり、ペットが糞尿を漏らしたときにもしみ込みにくく、掃除しやすく、夏場に熱により熱膨張しやすい熱可塑性樹脂を使った床材や湿度による収縮を起こしやすい合板など木質系基材の床材に好適に利用可能である。
【図面の簡単な説明】
【００１９】
【図１】本発明の棒状建材の一実施例の外層に係る化粧シートの断面の構造を示す説明図である。
【図２】本発明の棒状建材の一実施例の外観の断面を示す説明図である。
【図３】本発明の棒状建材の一施工例を示す説明図である。
【符号の説明】
【００２０】
１…着色熱可塑性樹脂層
２…絵柄層
３…アンカー剤層
４…透明熱可塑性樹脂層
５…リコート層
６…表面保護層
１０…棒状建材
２１…壁面
２２…柱
２３…垂直面に折り曲げた棒状建材
２４…水平面に折り曲げた棒状建材
２５…床材
３１…化粧シート
３２…弾性体
【図１】
2006283299.tif 000003
【図２】
2006283299.tif 000004
【図３】
2006283299.tif 000005